(57)【特許請求の範囲】
【請求項１】
基準信号に基づいて変調電源電圧を発生させるように構成された包絡線追跡変調電源であって、
スイッチモード電源を含み、前記基準信号を受信し、かつ前記基準信号における低周波数変動を追跡するための低周波数経路と、
前記基準信号における高周波数変動を追跡するための補正経路であって、
線形増幅器と、前記線形増幅器の出力と前記線形増幅器の入力との間に結合された帰還経路と、前記補正経路における前記基準信号のオフセット電圧を供給するための電圧源とを含み、
前記電圧源が、前記線形増幅器の前記出力と結合される、補正経路と、
変調電源電圧を発生させるために、前記低周波数経路の出力と、前記補正経路の出力とを結合するための結合器と、
を備える、包絡線追跡変調電源。
【請求項２】
前記補正経路における前記線形増幅器は、前記基準信号における周波数の全周波数域を含む信号を増幅する、請求項1に記載の包絡線追跡変調電源。
【請求項３】
前記オフセット電圧の値は、前記線形増幅器のための可能な限り最低の電源電圧を可能とするために前記線形増幅器への信号入力を設定するように選択される、請求項1又は2に記載の包絡線追跡変調電源。
【請求項４】
前記結合器は、前記低周波数経路および前記補正経路の出力信号を結合するための、前記低周波数経路の出力におけるインダクタおよび前記補正経路の出力におけるコンデンサを含み、
前記インダクタは、前記スイッチモード電源の前記出力と電源出力との間に接続され、
前記コンデンサは、前記線形増幅器の前記出力と前記電源出力との間に接続される、請求項1から3のいずれか一項に記載の包絡線追跡変調電源。
【請求項５】
前記結合器は、前記スイッチモード電源の前記出力と前記インダクタとの間に接続された別のインダクタと、2つの前記インダクタの接続部と電気的接地との間に接続されたコンデンサと、をさらに含み、
前記スイッチモード電源の切り替えの結果としての何らかのリップル電流は、前記別のインダクタにおいて発生されると共に、前記コンデンサを通じて接地に短絡される、請求項4記載の包絡線追跡変調電源。
【請求項６】
前記低周波数経路は、前記低周波数経路のための濾波された基準信号を発生させるために、前記低周波数経路から所定の周波数よりも高い周波数成分を除去するための低域フィルタを含む、請求項1から5のいずれか一項に記載の包絡線追跡変調電源。
【請求項７】
前記スイッチモード電源は、低域の前記濾波された基準信号に基づいてスイッチ電源電圧を発生させる、請求項6に記載の包絡線追跡変調電源。
【請求項８】
前記スイッチモード電源は、ピーク電流モードスイッチ電源を備える、請求項6に記載の包絡線追跡変調電源。
【請求項９】
低域の前記濾波された基準信号に基づいてスイッチモード電圧出力を発生させるためのスイッチを制御するためのパルス幅変調器と、
前記スイッチの出力電流に基づいて前記パルス幅変調器に制御を適合させるための内部帰還制御ループと、
前記スイッチモード電源の出力電圧に基づいて前記パルス幅変調器に制御を適合させるための外部帰還制御ループと、
を備える、請求項8に記載の包絡線追跡変調電源。
【請求項１０】
前記補正経路において遅延器をさらに備える、請求項1から9のいずれか一項に記載の包絡線追跡変調電源。
【請求項１１】
前記遅延器は、前記低周波数経路における前記スイッチモード電源に関連付けられた遅延を補償するように設定される、請求項10に記載の包絡線追跡変調電源。
【請求項１２】
請求項1から11のいずれか一項に記載の包絡線追跡変調電源を含むRF増幅器又はワイヤレス通信システム又はワイヤレスモバイルデバイス。
【請求項１３】
包絡線追跡変調電源を用いて、基準信号に基づいて変調電源電圧を発生させる方法であって、
前記包絡線追跡変調電源は、スイッチモード電源を含む低周波数経路と、線形増幅器を含む補正経路とを備え、
前記方法は、
前記低周波数経路で、前記基準信号を受信するステップと、
前記低周波数経路で、前記基準信号における高周波数変動を追跡するステップと、
前記補正経路における前記基準信号の電圧をオフセットするステップと、
前記補正経路で、前記基準信号における低周波数変動を追跡するステップと、
前記線形増幅器の出力を、前記線形増幅器の入力にフィードバックするステップと、
前記変調電源電圧を発生させるために、前記低周波数経路の出力と、前記補正経路の出力とを結合するステップと
を含み、
前記補正経路における前記基準信号の前記電圧をオフセットするための電圧源が、前記線形増幅器の前記出力と結合される、方法。
【発明の詳細な説明】
【技術分野】
【０００１】
本発明は、無線周波電力増幅器用途に適した包絡線追跡変調電源に関する。特に、本発明は、基準信号が低周波数経路および高周波数経路への入力として使用されると共に、各経路が、電源電圧を形成するために結合される別個の出力を発生させる上記のような電源に関する。
【背景技術】
【０００２】
無線周波電力増幅器用の包絡線追跡電源は当業界において周知である。典型的には、基準信号は、増幅される入力信号の包絡線に基づいて発生される。包絡線追跡電源は、基準信号を追跡する電力増幅器用の電源電圧を発生させる。
【０００３】
図1は、周波数分割器12が、線10における入力包絡線基準信号を線14における高周波数(HF)経路信号と線16における低周波数(LF)経路信号とに分割することに使用される従来技術の包絡線追跡(ET)変調器アーキテクチャを示す。周波数分割器12は、低周波数経路に低域フィルタ18を含むことができると共に高周波数経路に高域フィルタ20を含むことができる。線16のLF経路における信号は、効率的なスイッチモード増幅器22によって増幅され、線14のHF経路における信号は、広帯域線形増幅器24によって増幅される。周波数選択結合器26は、LF経路およびHF経路においてそれぞれ増幅した後の信号を結合するために使用される。図1において、結合器26は、低周波数経路における低周波数結合要素(および高周波数ブロック要素)28ならびに高周波数経路における高周波数結合要素(および低周波数ブロック要素)30を含むように図示されている。線32における結合器26からの結合信号は、例示目的のために抵抗器として図示されている負荷34に給電を提供する。典型的な用途において、負荷は電力増幅器(PA)であり、基準信号は、電力増幅器によって増幅される入力信号から導かれる。
【０００４】
図1に図示されているような電源アーキテクチャを組み込んでいる電力増幅器システムの例は、「Band Separation and Efficiency Optimisation in Linear-Assisted Switching Power Amplifiers」、Yousefzadeh et al、[IEEE Power Electronics Specialists Conference 2006]にて見出すことができる。
【０００５】
図2は、周波数選択結合器26がインダクタ-コンデンサ(LC)結合器である、代替的な従来技術の構成を示す。低周波数結合要素はインダクタ28aであり、高周波数結合要素はコンデンサ30aである。この構成において、帰還経路36は、線32における結合器(または変調器)出力からの信号を線形増幅器24の入力へと取り出す。帰還経路36の信号は、線形増幅器24への入力を提供するために、減算器38によって線14における高周波数経路の信号から減じられる。帰還経路36を含むことによって、図1の構成と比べて改善された追跡精度を達成する。
【０００６】
図2に図示されているような電源アーキテクチャを組み込んでいる電力増幅器システムの例は、「Efficiency Optimization in Linear-Assisted Switching Power Converters for Envelope Tracking in RF Power Amplifiers」、Yousefzadeh et al、[IEEE Symposium on Circuits and Systems 2005]にて見出すことができる。
【先行技術文献】
【非特許文献】
【０００７】
【非特許文献１】「Band Separation and Efficiency Optimisation in Linear-Assisted Switching Power Amplifiers」、Yousefzadeh et al、[IEEE Power Electronics Specialists Conference 2006]
【非特許文献２】「Efficiency Optimization in Linear-Assisted Switching Power Converters for Envelope Tracking in RF Power Amplifiers」、Yousefzadeh et al、[IEEE Symposium on Circuits and Systems 2005]
【発明の概要】
【発明が解決しようとする課題】
【０００８】
図1および図2の構成のような従来技術に対し、改善された効率性を含む、改善された性能特性を提供する包絡線追跡変調電源を提供することが本発明の目的である。
【課題を解決するための手段】
【０００９】
本発明は、基準信号に基づいて変調電源電圧を発生させるように構成された包絡線追跡変調電源であって、スイッチモード電源を含み、基準信号における低周波数変動を追跡するための低周波数経路と、線形増幅器を含み、基準信号における高周波数変動を追跡するための補正経路と、線形増幅器の出力から線形増幅器の入力への帰還経路と、変調電源電圧を発生させるためにスイッチモード電源の出力と線形増幅器の出力とを結合するための結合器と、を備える、包絡線追跡変調電源を提供する。
【００１０】
補正経路における線形増幅器は、基準信号における周波数の全周波数域を含む信号を増幅することができる。
【００１１】
包絡線追跡変調電源は、補正経路における信号にオフセット電圧を供給するための電圧源をさらに備えることができる。オフセット電圧の値は、線形増幅器のための可能な限り最低の電源電圧を可能とするために線形増幅器への信号入力を設定する(position)ように選択することができる。
【００１２】
結合器は、低周波数経路および補正経路の出力信号を結合するための、低周波数経路の出力におけるインダクタおよび補正経路の出力におけるコンデンサを含むことができる。インダクタは、スイッチモード電源の出力と電源出力との間に接続することができ、コンデンサは、線形増幅器の出力と電源出力との間に接続される。結合器は、スイッチモード電源の出力とインダクタとの間に接続された別のインダクタと、2つのインダクタの接続部と電気的接地との間に接続されたコンデンサと、をさらに含むことができ、スイッチモード電源の切り替えの結果としての何らかのリップル電流は、別のインダクタにおいて発生されると共に、コンデンサを通じて接地に短絡される。
【００１３】
低周波数経路は、低周波数経路のための濾波された基準信号を発生させるために、低周波数経路から所定の周波数よりも高い周波数成分を除去するための低域フィルタを含むことができる。スイッチモード電源は、低域の濾波された基準信号に基づいてスイッチ電源電圧を発生させることができる。スイッチモード電源は、ピーク電流モードスイッチ電源を備えることができる。包絡線追跡変調電源は、低域の濾波された基準信号に基づいてスイッチモード電圧出力を発生させるためのスイッチを制御するためのパルス幅変調器と、スイッチの出力電流に基づいてパルス幅変調器に制御を適合させるための内部帰還制御ループと、スイッチモード電源の出力電圧に基づいてパルス幅変調器に制御を適合させるための外部帰還制御ループと、を備えることができる。
【００１４】
包絡線追跡変調電源は、補正経路において遅延器をさらに備えることができる。遅延器は、低周波数経路におけるスイッチモード電源に関連付けられた遅延を補償するように設定することができる。
【００１５】
本発明は、包絡線追跡変調電源を含むRF増幅器を提供することができる。
【００１６】
本発明は、包絡線追跡変調電源を含むワイヤレス通信システムを提供することができる。
【００１７】
本発明は、包絡線追跡変調電源を含むワイヤレスモバイルデバイスを提供することができる。
【００１８】
また、本発明は、スイッチモード電源を含み、基準信号における低周波数変動を追跡するための低周波数経路と、線形増幅器を含み、基準信号における高周波数変動を追跡するための補正経路と、を備え、基準信号に基づいて変調電源電圧を発生させるように構成された包絡線追跡変調電源の方法であって、方法は、線形増幅器の出力から線形増幅器の入力への帰還経路を提供するステップを含み、包絡線追跡変調器は、変調電源電圧を発生させるためにスイッチモード電源の出力と線形増幅器の出力とを結合するための結合器をさらに備える、方法も提供する。
【００１９】
ここで、本発明は、添付の図面を参照して例として説明される。
【図面の簡単な説明】
【００２０】
【図１】低周波数経路および高周波数補正経路を含む、従来技術の包絡線追跡変調電源を図示する。
【図２】高周波数補正経路に帰還を組み込んでいる、従来技術の包絡線追跡変調電源を図示する。
【図３】例示的な全周波数域信号の電力変動を図示する。
【図４】低周波数成分を除去した例示的な全周波数域信号の電力変動を図示する。
【図５】本発明の実施形態により高周波数補正経路に帰還構成を組み込んでいる改善された包絡線追跡変調電源を図示する。
【図６】本発明の実施形態により、高周波数補正経路に帰還を組み込み、加えて高周波数補正経路にDCオフセットを組み込んでいる改善された包絡線追跡変調電源を図示する。
【図７】本発明の実施形態により、高周波数補正経路に帰還を組み込むと共に、低周波数経路にスイッチリップル電流除去を組み込んでいる改善された包絡線追跡変調電源を図示する。
【図８】本発明の実施形態により、高周波数補正経路に帰還を組み込むと共に、高周波数補正経路に遅延を組み込んでいる改善された包絡線追跡変調電源を図示する。
【図９】高周波数補正経路に帰還を組み込んでいる改善された包絡線追跡変調電源およびスイッチモード電源の例示的実施を図示する。
【発明を実施するための形態】
【００２１】
以下の説明において、本発明は、例示的実施形態および実施を参照して説明される。本発明は、本発明を理解する目的のために提供される、記述されているようないずれかの構成の特定の詳細に限定されるものではない。
【００２２】
図1の従来技術の構成を参照すると、線14の線形増幅器24への入力における高周波数経路の信号は、高域フィルタ20の効果により所定の遮断周波数よりも低い周波数をほとんど含まない。したがって、低周波数信号(フィルタ20の遮断周波数よりも低い信号)は、実質的には存在していない。
【００２３】
図1の構成において、特定の周波数よりも低い信号の欠如によって、結果として、線形増幅器24の出力における信号のピーク間振幅は、全周波数域包絡線信号が存在した場合のピーク間振幅よりも大きくなる。線形増幅器24の電源レールは、この大きなピーク間信号の線形増幅を可能とするように設定しなければならないので、これにより線形増幅器24の効率は低下する。
【００２４】
図3および図4を参照すると、このことをさらに理解することができる。
【００２５】
図3は、図1の線10の全帯域幅包絡線基準波形が最小ピークVpkL2と最大ピークVpkU2との間でどのように変化するかを図示する。
【００２６】
図4は、同じ信号であるが、低周波数成分を取り除いた波形を図示する。これは線14の信号を表す。この波形は最小ピークVpkL1と最大ピークVpkU1との間で変化する。図4に見ることができるように、波形の極小値および極大値の相当大きい変動が存在しており、この結果、図3の波形と比較して、ピーク間信号振幅が増大することとなる。図3におけるピークVpkL2とピークVpkU2との間の変動は、図4におけるピークVpkL1とピークVpkU1との間の変動よりも小さい。
【００２７】
同様の問題は図2の構成についても生じる。この問題は、高域フィルタ20が存在していなくても図2の構成において生じる。この場合、帰還経路36における帰還動作は、線形増幅器24への入力から線14における信号の低周波数成分を取り除くことである。線32の結合された出力における信号の低周波数成分は、スイッチモード増幅器経路によって供給されるため、線10における包絡線基準信号の低周波数成分と同じであるので同問題が生ずることになる。この結果、図2の構成において低周波数信号成分が減算器38の出力において除去されることになり、したがって、線形増幅器24は、低周波数成分を有しない信号の増幅を要求される。
【００２８】
したがって、図1または図2の構成のいずれかにおける線形増幅器24は、その出力において全周波数域信号ではない増幅信号を供給することを要求され、これにより増幅器のためのより大きなピーク間電源が必要となる。
【００２９】
図5を参照すると、上述の問題に対処した本発明の実施形態による包絡線追跡変調器のアーキテクチャが図示されている。全体として、図面において、他の図面における要素に対応する要素は同様の参照数字で指示されている。
【００３０】
本発明によれば、包絡線追跡変調電源は、基準信号における低周波数変動を追跡するため、かつスイッチモード電圧を発生させるためのスイッチモード増幅器を備える低周波数経路を備える。また、基準信号における高周波数変動を追跡するため、かつ補正電圧を発生させるための線形増幅器を備える補正経路も提供される。補正電圧は、変調電源電圧を供給するためのスイッチモード電圧と結合される。線形増幅器の出力から線形増幅器の入力への帰還経路が提供される。
【００３１】
好ましい実施形態において、補正経路は、全周波数域の基準信号を表す信号を線形増幅器に伝送する。したがって、図5に図示されているように、好ましくは、図1および図2の高域フィルタ20は除去され、その結果、線14の信号を含む経路がもはや高周波数経路ではなく、したがってここでは単に補正経路として指示することができる。線14における信号は、線10における全周波数域の基準信号であり、あるいは、濾波していない基準信号として指示することができる。
【００３２】
図5にも図示されているように、本発明によれば、帰還経路40は、線形増幅器の出力を減算器38の入力に接続する。したがって、線形増幅器24の入力は、補正経路の線14における全帯域幅信号から帰還経路40における信号を差し引いたものである。帰還信号は、結合前に補正経路の出力から取り出されるので、出力における低周波数成分は減算動作において除去されない。
【００３３】
線形増幅器24の出力から取り出された帰還経路40は、補正信号を導くために、基準信号から差し引かれた帰還信号を供給する。これは、結合要素(コンデンサ30a)後よりもむしろ、結合要素(コンデンサ30a)前の線形増幅器の出力に帰還経路を接続することによって達成される。
【００３４】
線形増幅器24の出力における信号は、全周波数域信号である。したがって、図5において線形増幅器24によって処理された信号は、図1および図2の構成において対処しなければならないであろう図4のより大きなピーク間信号を処理する必要がない。
【００３５】
好ましい構成において、線形増幅器の効率の最大化を達成するために、線形増幅器24は、好ましくは、効率的なスイッチモード電源(図に図示されてない)によって供給される最小限度の電源電圧で常に動作する。図5の構成における線形増幅器への電源電圧は、改善された効率を提供するために、図1および図2の従来技術の構成と比較して低下させることができる。
【００３６】
図5において、図1および図2の構成におけるフィルタ20等の補正経路における高域フィルタの欠除は必須でなくてもよい。たとえ高域フィルタ20が存在しても、帰還が結合器26の出力ではなく入力から直接的に取り出されるならば、効率性の利点は得ることができる。特に、そのような高域フィルタの遮断周波数がスイッチモード増幅器経路の遮断周波数よりも低い場合に効率性の利点は明らかになるだろう。
【００３７】
しかしながら、上述のように、好ましい構成は、(i)結合段階前の線形増幅器の出力から線形増幅器の入力への帰還を提供すること、および(ii)全周波数域基準信号を線形増幅器の入力に伝送することである。これにより、補正経路における線形増幅器に必要とされる電源電圧が最小化する。
【００３８】
図5の構成において、および以下に説明する構成において、補正経路における線形増幅器は、ユニティゲインを有するように図示される。これは説明を平易にするためであり、他の構成において線形増幅器はユニティゲインを有さなくてもよい。
【００３９】
図6〜図9を参照して本明細書においてさらに説明されるように、図5に図示されているような有利な帰還アーキテクチャを含む包絡線追跡変調器に対して、所定のさらなる改善を行うことができる。これらの改善は、単独でまたは組み合わせて適用することができる。
【００４０】
効率を最大化するために、図6に示されているように、好ましくは、DCオフセットを補正経路における入力信号に加えて、線形増幅器24のレールツーレール動作を可能にする。したがって、図示されているように、減算器42は、線14における補正経路の信号を受信するように構成され、そこから、電圧源44によって供給されたDCオフセット電圧VOSを差し引く。減算器42の出力は減算器38の入力を提供し、したがって減算器38は減算器42の出力におけるオフセット全周波数域信号から帰還経路40における帰還信号を差し引く。DCオフセット電圧の値は、線形動作をなお維持しながら、線形増幅器24に使用される可能な限り最低の電源電圧を可能とするために減算器42の出力におけるDC電圧を設定するように選択される。
【００４１】
図5および図6の構成の不利益は、スイッチモード増幅器22の切り替えの結果として三角リップル電流がインダクタ28aに流れることである。インダクタ28aに流れるこの三角リップル電流は、結合器26の出力、したがって線32の変調器出力、における、不必要な電圧誤差の生成を避けるために、線形増幅器24の出力段、すなわちコンデンサ30a、を通じて分路しなければならない。結果として線形増幅器24の出力を通って流れるリップル電流はその効率を低下させる。
【００４２】
図7は、図5の周波数結合器26が低周波数結合要素の一部として付加的なコンデンサ28cおよびインダクタ28bを含むように構成されている本発明の別の実施形態を示す。インダクタ28aとインダクタ28bとの間の結合係数の大きさは、0から1の範囲とすることができる。インダクタ28bはスイッチモード増幅器22の出力とインダクタ28aとの間に接続される。コンデンサ28cは、インダクタ28aとインダクタ28bとの接合部と、電気的接地との間に接続される。
【００４３】
図7の変更された構成において、ここでは、スイッチモード増幅器22によるリップル電流はインダクタ28bに流れ、コンデンサ28cを介して電気的接地へと分路される。これで、図5または図6の構成におけるインダクタ28aに流れると共に線形出力段を通るリップル電流に関連付けられた損失は回避される。
【００４４】
図8に図示されているようなさらに別の構成において、低周波数経路におけるスイッチモード増幅器22に関連付けられた遅延は、線形増幅器24を含む高周波数経路における遅延整合要素を使用する補正経路において任意に補償することができる。このことは、補正経路に可変遅延要素21を組み込むことによって図8に図示されている。線10における基準信号は、遅延整合要素21を介して減算器38へと伝送される。
【００４５】
好ましい構成において、好ましくは、LF経路スイッチモード増幅器22は、高帯域幅スイッチモード電源を実施するための公知の従来技術であるピーク電流モード降圧変換器として実施される。スイッチモード増幅器22用のピーク電流モード降圧変換器の例示的実施は図9に図示されている。
【００４６】
図9に図示されているように、スイッチモード増幅器22は、線56における制御信号を受信すると共に、一対のスイッチ52aおよび52bを制御するパルス幅変調器(PWM)50を含む。スイッチ52aは、電源電圧と共通ノード54との間に接続され、スイッチ52bは、共通ノード54と電気的接地との間に接続される。電源電圧は電池によって供給され、Vbatと指示されている。パルス幅変調器50は、線56における制御信号に基づいてスイッチ52aおよび52bを制御して、結合器26に低周波数経路出力を供給する。パルス幅変調器および出力スイッチの構成は、当業界において公知である。
【００４７】
スイッチモード増幅器22は、内部電流制御帰還ループおよび外部電圧制御帰還ループを含む。
【００４８】
内部電流制御帰還ループは、スイッチ52aまたはスイッチ52bにおける電流を検知することによって直接的にまたは間接的にインダクタ28bに流れるインダクタ電流を検知すると共に、結合器61へ帰還経路58を提供する。結合器61は、帰還経路58における帰還信号と線63における補償ランプ信号とを結合する。結合器61の出力は、増幅器59の反転入力に入力を供給する。増幅器59は、その非反転入力において増幅器60からの出力を受信する。増幅器59は、線56における制御信号を発生させる。
【００４９】
外部電圧制御帰還ループは、インダクタ28aおよびコンデンサ28cに接続するインダクタ28bの第2の端子からの電圧帰還経路62を提供する。帰還経路62は、増幅器60の反転入力に帰還信号を供給する。増幅器60は、その非反転入力において線16の低周波数経路信号を受信する。
【００５０】
インダクタ28bは、帰還経路58によって提供される内部電流帰還ループの動作によって電流源として機能する。補償ランプは、この内部電流帰還ループにおける線63に供給され、周波数が高いデューティサイクルで半減することを防止するために使用される。
【００５１】
帰還経路62によって提供された外部電圧帰還ループは、インダクタ28b、インダクタ28aおよびコンデンサ28cの接合部において電圧を制御するために使用される。
【００５２】
図9に図示されているようなピーク電流モード降圧変換器は、一般的に以下のように動作する。
【００５３】
低域フィルタ18は、基準信号における低周波数変動を表す信号を発生させる。このとき、線16におけるこの信号は、スイッチ52aおよび52bを備える降圧切替器用のパルス信号のための制御信号を含み、パルス信号は、制御信号によって決定されるデューティサイクルを有し、したがって降圧切替器の出力における電圧は、線16における信号、すなわち基準信号における低周波数変動、を追跡する。
【００５４】
しかしながら、加えて、線16におけるこの制御信号は、内部帰還電流制御ループおよび外部帰還電圧制御ループによって変更される。
【００５５】
第1に、外部帰還電圧制御ループは、増幅器60における制御信号を調節する。制御信号(すなわち低周波数基準信号)は、そこから取り除かれる帰還経路62における帰還信号を有する。帰還経路62における帰還電圧は低周波数経路の出力における電圧を表し、線16における低周波数基準信号から当該電圧を除去することは、出力電圧と基準電圧との誤差を表す信号を供給する。
【００５６】
第2に、内部帰還制御ループは、増幅器59における制御信号を調節する。第2の調節制御信号(増幅器59からの出力)は、そこから取り除かれる帰還経路58における帰還信号を有する。帰還経路58における帰還信号は出力電流の誤差を表す。
【００５７】
図6〜図9の付加的な構成の各々は、帰還構成に対して1つまたは複数のさらなる改善を提供するために、単独で、または図5に図示された帰還アーキテクチャのいずれかの組み合わせで実施することができる。
【００５８】
本発明およびその実施形態は、無線周波(RF)電力増幅器への包絡線追跡(ET)の適用に関し、携帯端末、ワイヤレス設備、およびマイクロ波周波数までの高周波数における軍用電力増幅器用途を含む幅広い範囲の実施に適用可能である。
【００５９】
本発明は、実施形態を参照して例として本明細書に説明されている。本発明は、説明された実施形態に限定されなければ、実施形態における特徴の特定の組み合わせにも限定されない。変更は、本発明の範囲内において実施形態に対して行うことができる。本発明の範囲は添付の特許請求の範囲によって画定される。
【符号の説明】
【００６０】
10  線
12  周波数分割器
14  線
16  線
18  低域フィルタ
20  高域フィルタ
21  可変遅延要素/遅延整合要素
22  スイッチモード増幅器
24  広帯域線形増幅器
26  周波数選択結合器
28  低周波数結合要素
28a  インダクタ
28b  インダクタ
28c  コンデンサ
30  高周波数結合要素
30a  コンデンサ
32  線
34  負荷
36  帰還経路
38  減算器
40  帰還経路
42  減算器
44  電圧源
50  パルス幅変調器
52a  スイッチ
52b  スイッチ
54  共通ノード
56  線
58  帰還経路
59  増幅器
60  増幅器
61  結合器
62  電圧帰還経路
63  線
【図１】
0006452622.tif 000002
【図２】
0006452622.tif 000003
【図３】
0006452622.tif 000004
【図４】
0006452622.tif 000005
【図５】
0006452622.tif 000006
【図６】
0006452622.tif 000007
【図７】
0006452622.tif 000008
【図８】
0006452622.tif 000009
【図９】
0006452622.tif 000010